(57)【要約】【課題】尿素水の容量に応じた警報音を鳴らすことで、レベルゲージを目視にて確認すること無く、タンク内の尿素水の容量を正確に把握することが可能な尿素水レベル検出装置及びこの装置を用いた検出方法を提供する。【解決手段】尿素水の尿素水レベル検出装置１は、液位検出手段６により検出された検出情報に基づいて警報音を発する警報手段１０と、警報手段１０へ電源を供給する駆動電源３０と、第１のスイッチ４０と、液位検出手段６との接続を警報手段１０又は運転席のパネル用回路に切換える第２のスイッチ５０と、を備え、尿素水の液面レベルに応じたインターバル時間の異なる断続的な警報音を発することを特徴とする。【選択図】  図５
2012127193.tif 000002
【特許請求の範囲】
【請求項１】
タンク内に貯留された尿素水の液面レベルを検出するための液位検出手段により検出された検出情報に基づいて警報音を発する警報手段を備え、該警報手段は、
前記液位検出手段により検出された前記検出情報を受信し、この検出情報に基づいて前記尿素水の前記液面レベルに応じたインターバル時間の異なる断続的な警報音を発するためのインターバル情報を出力する制御部と、
前記制御部から出力された前記インターバル情報を受信し、このインターバル情報に基づいて警報音を発する発音部と、
を備えることを特徴とする尿素水の尿素水レベル検出装置。
【請求項２】
前記制御部は、前記インターバル情報として予め設定されたデューティー比を出力することを特徴とする請求項１に記載の尿素水の尿素水レベル検出装置。
【請求項３】
前記制御部は、
前記検出情報とパターンＩＤとを組み合わせたパターンテーブルと、複数のデューティー比と上記パターンＩＤとを組み合わせたデューティー比テーブルと、を格納した記憶部と、
前記検出情報を受信し、ここで受信した前記検出情報に合致するパターンＩＤを前記記憶部の前記パターンテーブルにて特定し、特定したパターンＩＤに対応するデューティー比を前記記憶部のデューティー比テーブルより読み出す処理を実行する演算部と、
を備えることを特徴とする請求項１又は２に記載の尿素水の尿素水レベル検出装置。
【請求項４】
前記警報手段を駆動するための電源を供給する駆動電源と、
前記駆動電源から前記警報手段への電力供給をオフするオフ状態と、前記駆動電源から前記警報手段への電力供給をオンするオン状態とに切換え操作自在なスイッチと、
を更に備えることを特徴とする請求項１〜３のうち何れか一項に記載の尿素水の尿素水レベル検出装置。
【請求項５】
タンク内に貯留された尿素水の液面レベルを検出するための液位検出手段により検出された検出情報に基づいて、前記尿素水の液面レベルに応じたインターバル時間の異なる断続的な警報音を発することを特徴とする尿素水の尿素水レベル検出方法。
【発明の詳細な説明】
【技術分野】
【０００１】
本発明は、車両に搭載されたＮＯｘを還元浄化するための選択還元型触媒（以下ＳＣＲという。ＳＣＲ：Ｓｅｌｅｃｔｖｅ  Ｃａｔａｌｙｔｉｃ  Ｒｅｄｕｃｔｉｏｎ）に対し、還元剤として添加する尿素水を貯留するタンク内の尿素水レベルを検出するための尿素水レベル検出装置及びこの装置を用いた尿素水レベル検出方法に関する。
【背景技術】
【０００２】
近年、エンジンの排気ガスの処理装置として、排気ガス中の窒素酸化物（ＮＯｘ）を浄化するために尿素水を用いたＳＣＲを使用することが実用化されている。ＳＣＲを用いた排気ガス処理装置を使用する車両においては、尿素水を貯留するためのタンクを搭載する必要がある。
タンク内の尿素水の尿素水レベルを確認する場合は、図１１に示すように、タンク０４の側面に設けられたレベルゲージ０５を作業員が目視で確認していた（特許文献１参照）。
【先行技術文献】
【特許文献】
【０００３】
【特許文献１】特開２０１０−１５６２８３号公報
【発明の概要】
【発明が解決しようとする課題】
【０００４】
しかしながら、尿素水のタンクは車体内に設置されているため、暗くてレベルゲージを読み取りづらいという問題があった。そのため、尿素水をタンクに供給する際には、一方の手で懐中電灯を把持してレベルゲージを照らしつつ、他方の手で尿素水を供給する作業を行わなければならないため、尿素水をこぼしてしまうおそれがあった。こぼれた尿素水が車体に付着すると錆の原因となるため、念入りに清掃作業を行わなければならず、点検作業の効率が低下するという問題があった。
【０００５】
そこで、本発明は、上記の問題に鑑みてなされたものであり、尿素水の容量に応じた警報音を鳴らすことで、レベルゲージを目視にて確認すること無く、タンク内の尿素水の尿素水レベルを正確に把握することが可能な尿素水レベル検出装置及びこの装置を用いた検出方法を提供することを目的とする。
【課題を解決するための手段】
【０００６】
本発明は、尿素水の尿素水レベル検出装置であって、タンク内に貯留された尿素水の液面レベルを検出するための液位検出手段により検出された検出情報に基づいて警報音を発する警報手段を備え、該警報手段は前記液位検出手段により検出された前記検出情報を受信し、この検出情報に基づいて前記尿素水の前記液面レベルに応じたインターバル時間の異なる断続的な警報音を発するためのインターバル情報を出力する制御部と、
前記制御部から出力された前記インターバル情報を受信し、このインターバル情報に基づいて警報音を発する発音部と、を備えることを特徴とする。
【０００７】
本発明によれば、液位検出手段により検出された検出情報に基づいて警報音を発するので、尿素水のタンクに取り付けられているレベルゲージを目視にて確認すること無く、タンク内の尿素水の尿素水レベルを把握することができる。
また、本発明によれば、断続的な警報音を発するので、連続的に警報音を発する場合よりも作業員の注意をひくことができる。
また、尿素水の液面レベルに応じたインターバル時間の異なる断続的な警報音を発するので、タンク内の尿素水の容量を警報音のインターバル時間で把握することができる。これにより、尿素水の残量が少ないときは大量の尿素水を供給し、尿素水の容量が多くなってきたら、すなわち、タンク内が満タン近くになってきたら、少しずつ尿素水を供給することができるので、タンクから溢れ出るまで尿素水を供給することを防止できる。
【０００８】
また、本発明において、前記制御部は、前記インターバル情報として予め設定されたデューティー比を出力することとしてもよい。
【０００９】
本発明によれば、デューティー比の変更はマイクロコンピュータ等により簡単に制御できるので、警報音を断続的に発生させるための回路を別途設ける必要が無く、コストの上昇を避けることができる。
【００１０】
また、本発明において、前記制御部は、
前記検出情報とパターンＩＤとを組み合わせたパターンテーブルと、複数のデューティー比と上記パターンＩＤとを組み合わせたデューティー比テーブルと、を格納した記憶部と、
前記検出情報を受信し、ここで受信した前記検出情報に合致するパターンＩＤを前記記憶部の前記パターンテーブルにて特定し、特定したパターンＩＤに対応するデューティー比を前記記憶部のデューティー比テーブルより読み出す処理を実行する演算部と、
を備えることとしてもよい。
【００１１】
本発明によれば、尿素水の液面レベルに応じたデューティー比を設定することができるので、尿素水の液面レベルに応じて様々なインターバル時間の警報音を発生させることができる。
【００１２】
また、本発明において、前記警報手段を駆動するための電源を供給する駆動電源と、
前記駆動電源から前記警報手段への電力供給をオフするオフ状態と、前記駆動電源から前記警報手段への電力供給をオンするオン状態とに切換え操作自在なスイッチと、
を更に備えることとしてもよい。
【００１３】
本発明によれば、駆動電源を備えることにより、尿素水レベル検出装置を設置した車両等から電源を供給できない場合でも警報手段を駆動させることができる。
【００１４】
さらに、本発明は、尿素水の尿素水レベル検出方法であって、タンク内に貯留された尿素水の液面レベルを検出するための液位検出手段により検出された検出情報に基づいて、前記尿素水の液面レベルに応じたインターバル時間の異なる断続的な警報音を発することを特徴とする。
【００１５】
本発明によれば、液位検出手段により検出された検出情報に基づいて警報音を発するので、尿素水のタンクに取り付けられているレベルゲージを目視にて確認すること無く、尿素水レベルを把握することができる。
また、尿素水の液面レベルに応じたインターバル時間の異なる断続的な警報音を発するので、タンク内の尿素水の容量を警報音のインターバル時間で把握することができる。これにより、尿素水の容量が少ないときは大量の尿素水を供給し、尿素水の容量が多くなってきたら、すなわち、タンク内が満タン近くになってきたら、少しずつ尿素水を供給することができるので、タンクから溢れ出るまで尿素水を供給することを防止できる。
【発明の効果】
【００１６】
本発明によれば、尿素水の容量に応じた警報音を鳴らすことで、レベルゲージを目視にて確認すること無く、タンク内の尿素水の尿素水レベルを正確に把握することが可能な尿素水の尿素水レベル検出装置及びこの装置を用いた尿素水レベル検出方法を提供することができる。
【図面の簡単な説明】
【００１７】
【図１】本実施形態にかかる尿素水の尿素水レベル検出装置を搭載したバスの一例を示す図である。
【図２】図１のＡ部拡大図である。
【図３】リッドを開いた状態を示す図である。
【図４】尿素水の尿素水レベル検出装置の構成例を示す概略図である。
【図５】尿素水の尿素水レベル検出装置のブロック回路図である。
【図６】パターンテーブルの一例を示す図である。
【図７】液面レベルテーブルの一例を示す図である。
【図８】デューティーテーブルの一例を示す図である。
【図９】デューティー比の切換えられた音鳴動信号の一例を示す図である。
【図１０】尿素水の尿素水レベル検出装置の処理フロー例を示す図である。
【図１１】従来例として示す尿素水を貯留する尿素水タンクの側面図である。
【発明を実施するための形態】
【００１８】
以下、本発明にかかる尿素水の尿素水レベル検出装置をバスに適用した場合の好ましい実施形態について図面を用いて詳細に説明する。但し、この実施形態に記載されている構成部品の寸法、材質、形状、その相対配置などは特に特定的な記載が無い限り、この発明の範囲をそれのみに限定する趣旨ではなく、単なる説明例にすぎない。
【００１９】
図１は、本実施形態にかかる尿素水の尿素水レベル検出装置１を搭載したバス２の一例を示す図であり、図２は、図１のＡ部拡大図である。また、図３は、リッド３を開いた状態を示す図である。
図１〜図３に示すように、尿素水の尿素水レベル検出装置１は、尿素水のタンク４に取り付けられた液位検出手段６により検出された検出情報に基づいて警報音を発するものである。
尿素水のタンク４は、バス２の後部に配置されたエンジン５やマフラー（図示しない）の近傍に設置されており、車体の側壁に設けられたリッド３を開くことにより、車体の外側から尿素水を供給できるようになっている。
【００２０】
図４は、尿素水の尿素水レベル検出装置１の構成例を示す概略図である。また、図５は、尿素水の尿素水レベル検出装置１のブロック回路図である。
両図に示すように、尿素水の尿素水レベル検出装置１は、液位検出手段６により検出された検出情報に基づいて警報音を発する警報手段１０と、警報手段１０へ電源を供給する駆動電源３０と、第１のスイッチ４０と、液位検出手段６との接続を警報手段１０又は運転席のパネル用回路（図示しない）に切換える第２のスイッチ５０と、を備えている。
【００２１】
液位検出手段６は、タンク４内の尿素水の液面レベルを検出するセンサーであって、本実施形態では、尿素水の液面レベルに応じて可動するフロート８の位置によって抵抗値が変化するリードスイッチ式レベルセンサーを用いた。具体的には、液面レベルが高い（すなわち容量が多い）場合には、抵抗値は高くなり、液面レベルが低い（すなわち容量が少ない）場合には、抵抗値は小さくなる。
液位検出手段６は、尿素水の液面レベルに応じた抵抗値を検出情報として出力する。
なお、本実施形態では、液位検出手段６として、リードスイッチ式レベルセンサーを用いたが、これに限定されるものではなく、例えば、超音波や光電式のセンサーを用いてもよい。要は、液面レベルに応じた検出情報を出力できるものであればよい。
【００２２】
第１のスイッチ４０は、駆動電源３０から警報手段１０への電力供給のオンオフを切換えるためのものであり、本実施形態では、リッド３の開閉によって機械的に接点を開閉可能なリミットスイッチを用いた。これにより、リッド３を開くと接点が閉じて駆動電源３０から警報手段１０へ電力を供給するオン状態になり、リッド３を閉じると接点が開いて駆動電源３０から警報手段１０への電力の供給を停止するオフ状態になる。
なお、本実施形態では、第１のスイッチ４０として、リミットスイッチを用いたが、これに限定されるものではなく、例えば、電磁式のスイッチを用いてもよい。要は、警報手段１０への電力供給のオンオフ状態を切換えることができる機能を有するスイッチであればよい。
また、本実施形態では、リッド３の開閉によって警報手段１０への電力供給のオンオフを切換える場合について説明したが、これに限定されるものではなく、例えば、タンク４用供給口の蓋７の開閉によって警報手段１０への電力供給のオンオフを切換えることとしてもよい。
【００２３】
第２のスイッチ５０は、液位検出手段６を警報手段１０又は運転席のパネル用回路（図示しない）の何れか一方と接続するためのものであり、本実施形態では、磁力でスイッチが切換わる電磁スイッチを用いた。バス２を運行させるために、メインキーを運転席の鍵穴に挿入してオン状態（バスのエンジンは駆動できないが、電気系統を使用できる状態等）にすると、第２スイッチの電磁コイルに電流が流れて磁力により接点が運転席のパネル用回路に接続して、液位検出手段６の検出情報は運転席のパネルへ出力される。一方、バス２の運行を停止してメインキーをオフ状態（バスのエンジンは駆動できず、電気系統も使用できない状態）にすると、電磁コイルに電流が流れなくなり磁力がなくなって、接点が警報手段１０側の回路に接続して、液位検出手段６の検出情報は警報手段１０へ出力される。すなわち、バス２が停止した状態のときにのみ尿素水の容量を尿素水レベル装置１にて確認することができる。これにより、尿素水の供給を行う際は、バス２が必ず停止した状態なので、安全に供給作業を実施することができる。
なお、本実施形態では、第２のスイッチ５０として、電磁スイッチを用いたが、これに限定されるものではなく、警報手段１０又は運転席のパネル用回路の何れか一方との接続を切換えることができる機能を有するスイッチであればよい。
【００２４】
警報手段１０は、液位検出手段６により検出された検出情報を受信する制御部１１と、警報音を発する発音部２０と、を備えている。
【００２５】
制御部１１は、Ａ／Ｄ変換器１２と、記憶部１３と、ＣＰＵなどの演算部１４と、メモリ１５と、を備えており、検出情報を受信して演算処理し、その演算処理結果に応じて発音部２０を動作させる。制御部１１としては、例えば、マイクロコンピュータを適用できる。
【００２６】
Ａ／Ｄ変換器１２は、液位検出手段６からアナログデータを受信してデジタルデータに変換し、変換後のデジタルデータを演算部１４へ出力する。
【００２７】
演算部１４は、Ａ／Ｄ変換器１２に接続されており、Ａ／Ｄ変換器１２によりＡ／Ｄ変換された検出情報を受信する。この検出情報に基づいて、記憶部１３に保持している各テーブル１８、１９、２０やプログラム１６（詳細は後述する）をメモリ１５に読み出して所定の処理を実行する。
【００２８】
記憶部１３は、演算部１４に接続されており、発音部２０のインターバル時間を制御するプログラム１６を格納したＲＯＭから構成される。
さらに、記憶部１３には、図６、図７、図８にそれぞれ示すようなパターンテーブル１７、液面レベルテーブル１８、及びデューティー比テーブル１９が格納されている。
図６に示すように、パターンテーブル１７には、所定の範囲の抵抗値毎に対応付けしたパターンＩＤが格納されている。
タンク４内の尿素水の容量が多くなるにつれて、すなわち満タンに近づくにつれて、容量が少ない場合よりも抵抗値の範囲を狭くして、尿素水の液面レベルを細かく検出できるようにした。
また、図７に示すように、液面レベルテーブル１８には、尿素水のタンク内の容量が液面レベル（％表示）として、上記パターン毎に格納されている。
タンク４内の尿素水の容量が多くなるにつれて、すなわち満タンに近づくにつれて、容量が少ない場合よりも液面レベルの範囲を狭くして、尿素水の液面レベルを細かく検出できるようにした。
また、図８に示すように、デューティー比テーブル１９には、発音部２０の発音時間を制御するためのデューティー比が、上記パターンＩＤ毎に格納されている。
【００２９】
メモリ１５は、演算部１４に接続されており、演算部１４における演算処理結果等を一時的に格納することが可能なＲＡＭから構成される。
また、液位検出手段６により検出された検出情報が演算部１４によりメモリ１５に格納される。これにより、検出情報を自動的に記録することができる。
【００３０】
次に、演算部１４が上記プログラム１６を利用して実行する処理について説明する。
【００３１】
演算部１４は、受信した検出情報（すなわち抵抗値）に合致するパターンＩＤを記憶部１３のパターンテーブル１７にて特定し、特定したパターンＩＤに対応する液面レベルを記憶部１３の液面レベルテーブル１８より読み出す。
【００３２】
続いて、演算部１４は、液面レベルが１００％未満の場合は、上記で特定したパターンＩＤに対応するデューティー比をデューティー比テーブル１９より読み出し、このデューティー比（インターバル情報に相当）を発音部２０に出力する。
また、液面レベルが１００％の場合は、音を連続して発生させるための連続発音情報（インターバル情報に相当）を発音部２０に出力する。
【００３３】
発音部２０は、発音体駆動回路２１と、音を発生させる発音体２２と、を備えており、尿素水のレベルに応じて警報音を発生させる。
【００３４】
発音体駆動回路２１は、演算部１４に接続されており、デューティー比や連続発音情報を受信する。
発音体駆動回路２１が、デューティー比を受信した場合は、このデューティー比にしたがって、警報音を発生させるための音鳴動信号のデューティー比を切換える。音鳴動信号のデューティー比を変化させることにより、発音体２２の発する警報音のインターバル時間を調整することができるからである。そして、デューティー比の切換えられた音鳴動信号を発音体２２に出力する。
発音体２２は、発音体駆動回路２１に接続されており、音鳴動信号を受信し、設定されたデューティー比にしたがって警報音を発生させる。デューティー比の切換えられた音鳴動信号の一例を図９に示す。
図９（ａ）に示すように、デューティー比が９０％の場合は、ピー、ピー、ピー、とほとんど連続した警報音が発生する。
また、図９（ｂ）に示すように、デューティー比が５０％の場合は、警報音が発生する時間と無音時間とがほとんど同じ長さになる。
そして、図９（ｃ）に示すように、デューティー比が３０％の場合は、ピッ、ピッ、ピッ、と断続的な警報音が発生する。
すなわち、液面レベルが高いときは、液面レベルが低いときよりも、連続的に警報音が発生するように設定されている。
【００３５】
発音体駆動回路２１が連続発音情報を受信した場合は、音鳴動信号のデューティー比を切換えること無く、そのまま音鳴動信号を発音体２２に出力する。この音鳴動信号は、連続的に発音体２２の警報音を発生させることが可能な信号である。
音鳴動信号を受信した発音体２２は、連続的に警報音を発生させる。
【００３６】
次に、本実施形態の尿素水の尿素水レベル検出装置１によって警報音を発生させるための処理フローについて説明する。
【００３７】
図１０は、尿素水の尿素水レベル検出装置１の処理フロー例を示す図である。
本図に示すように、まず、第１のスイッチ４０を入れて、尿素水レベル検出装置１を作動させる（ステップｓ１００）。尿素水レベル検出装置１が作動したらステップｓ１０５へ移行する。
【００３８】
ステップｓ１０５では、尿素水レベル検出装置１の演算部１４が、液位検出手段６により出力された検出情報（すなわち抵抗値）を受信して、メモリ１５に格納する。
検出情報は、所定の時間間隔（例えば、０．２秒間隔）で液位検出手段６から出力されているので、演算部１４は、予め設定した測定時間ＭＴ（例えば、１秒）の間、連続して複数の検出情報（例えば、５つ）を受信し、その測定時間終了後、受信したすべての検出情報の平均値を算出し、この平均値をタンク４内の液面レベルを検出するための判定値とする。
判定値の算出は、演算部１４が、記憶部１３に格納されたプログラム１６を読み出して実行することで実現される。また、算出された判定値はメモリ１５に格納される。
【００３９】
続いて、演算部１４は、算出した判定値に合致するパターンＩＤを記憶部１３のパターンテーブル１７にて特定し、特定したパターンＩＤに対応する液面レベルを記憶部１３の液面レベルテーブル１８より読み出す。液面レベルを読み出したらステップｓ１１０へ移行する。
【００４０】
ステップｓ１１０では、演算部１４が、タンク４内の尿素水の液面レベルが満水状態か否かを判定する。
演算部１４が、液面レベルテーブル１８より読み出した液面レベルが１００％未満の場合は、満水ではないと判定して、ステップｓ１０５で特定したパターンＩＤに対応するデューティー比を記憶部１３のデューティー比テーブル１９より読み出し、このデューティー比（インターバル情報に相当）を発音部２０に出力する。続いて、ステップｓ１１５へ移行する。
一方、液面レベルテーブル１８より読み出した液面レベルが１００％の場合は、満水であると判定して、ステップｓ１３０へ移行する。
以下の説明では、先に、ステップｓ１１５以降のフローについて説明し、その後、ステップｓ１３０以降のフローについて説明する。
【００４１】
ステップｓ１１５では、演算部１４が、ステップｓ１０５でメモリ１５に格納した複数の検出情報及び判定値をすべて消去してリセットする。続いて、ステップｓ１２０へ移行する。
【００４２】
ステップｓ１２０では、発音部２０が、デューティー比を受信し、このデューティー比にしたがって、液面レベルに応じた断続音を発生させる。
上述したように、デューティー比が９０％の場合は、ピー、ピー、ピー、とほとんど連続した警報音を発生させて、デューティー比が３０％の場合は、ピッ、ピッ、ピッ、と断続的な警報音を発生させる。また、デューティー比が７０％の場合は、デューティー比が９０％の場合よりもやや無音時間が長くなるように警報音を発生させて、デューティー比が５０％の場合は、デューティー比が３０％の場合よりもやや無音時間が短くなるように音を発生させる。すなわち、液面レベルが高いときは、液面レベルが低いときよりも、連続的に警報音を発生させる。
発音部２０が警報音を発生させたら、再び、ステップｓ１０５へ移行する。
【００４３】
次に、ステップｓ１３０以降のフローについて説明する。
【００４４】
ステップｓ１３０では、演算部１４が、ステップｓ１１０にて液面レベルが満水状態であると判定した上記測定時間ＭＴ（例えば、１秒）を、ステップｓ１１０にて液面レベルが満水状態であると判定した回数（例えば、６回）分積算して、満水状態の積算時間（例えば、１秒×６回＝６秒）を算出する。但し、ステップｓ１１０にて液面レベルが満水状態であると判定した場合が連続しているときにのみ測定時間ＭＴを積算する。例えば、ある時刻Ｔ１に、ステップｓ１１０にて液面レベルが満水状態であると判定し、時刻Ｔ２（Ｔ１＋１秒後）に、ステップｓ１１０にて液面レベルが満水状態でないと判定し、時刻Ｔ３（Ｔ２＋１秒後）に、ステップｓ１１０にて液面レベルが満水状態であると判定した場合には、時刻Ｔ１の測定時間ＭＴ（１秒）と時刻Ｔ３の測定時間ＭＴ（１秒）とを積算しないものとする。
液面レベルが満水であると判定した測定時間ＭＴを積算することにより、判定結果の精度を向上することができる。積算時間を算出したら次のステップｓ１３５へ移行する。
【００４５】
ステップｓ１３５では、演算部１４が、タンク４内の尿素水が満水レベルに近い状態であるとして連続音を発するか又はタンク４内の尿素水がすでに満水であるとして警報音の発生を停止するかを判定する。
ステップｓ１３０で算出した積算時間が５秒未満の場合は、尿素水が満水レベルに近い状態であると判定して、演算部１４が、警報音を連続的に発する連続発音情報（インターバル情報に相当）を発音部２０に出力する。続いて、ステップｓ１４０へ移行する。
一方、ステップｓ１３０で算出した積算時間が５秒以上の場合は、尿素水がすでに満水状態であると判定して、演算部１４が、警報音を発生させるための信号を発音部２０に出力することを停止する。続いて、ステップｓ１５０へ移行する。
【００４６】
ステップｓ１４０では、発音部２０が、連続発音情報を受信し、この連続発音情報にしたがって、警報音を連続的に発生させる。発音部２０が警報音を発生させたら、再び、ステップｓ１０５へ移行する。
【００４７】
また、ステップｓ１５０では、発音部２０が、警報音を発生させるための信号を受信できないので、警報音の発生を停止する。発音部２０が警報音の発生を停止させたら、再び、ステップｓ１０５へ移行する。
【００４８】
上述したステップｓ１０５からステップｓ１５０までを尿素水の供給作業中に連続して行う。これにより、尿素水の供給作業中は、常に尿素水の液面レベルを警報音で検出することができる。一方、警報音が停止したら、直ちに尿素水の供給作業を停止する。
【００４９】
上記で説明した構成からなる尿素水の尿素水レベル検出装置１によれば、液位検出手段６により検出された検出情報に基づいて警報音を発するので、尿素水のタンク４に取り付けられているレベルゲージを目視にて確認すること無く、タンク４内の尿素水の尿素水レベルを正確に把握することができる。
【００５０】
また、尿素水の容量に応じたインターバル時間の異なる断続的な警報音を発するので、タンク４内の尿素水の容量を警報音のインターバル時間で把握することができる。これにより、インターバル時間が長いときは、尿素水の容量が少ないときなので、大量の尿素水を供給し、インターバル時間が短くなってきたら尿素水の容量が多くなってきて、タンク４内が満タン近くになってきたことなので、少しずつ尿素水を供給することができる。したがって、タンク４から溢れ出るまで尿素水を供給することを防止できる。
【００５１】
また、デューティー比の変更はマイクロコンピュータ等により簡単に制御できるので、警報音断続的に発生させるための回路を別途設ける必要が無く、コストの上昇を避けることができる。
【００５２】
また、駆動電源３０を備えることにより、バスから電源を供給できない場合等でも警報手段１０を駆動させることができる。
【００５３】
なお、本実施形態では、バス２に尿素水の尿素水レベル検出装置１を適用した場合について説明したが、これに限定されるものではなく、尿素水を貯留するタンク４を備えた機器類には、本発明を適用することができる。
【符号の説明】
【００５４】
１    尿素水レベル検出装置
２    バス
３    リッド
４    タンク
５    エンジン
６    液位検出手段
７    蓋
８    フロート
１０  警報手段
１１  制御部
１２  Ａ／Ｄ変換器
１３  記憶部
１４  演算部
１５  メモリ
１６  プログラム
１７  パターンテーブル
１８  液面レベルテーブル
１９  デューティー比テーブル
２０  発音部
２１  発音体駆動回路
２２  発音体
３０  駆動電源
４０  第１のスイッチ
５０  第２のスイッチ
５１  レベルゲージ
【図１】
2012127193.tif 000003
【図２】
2012127193.tif 000004
【図３】
2012127193.tif 000005
【図４】
2012127193.tif 000006
【図５】
2012127193.tif 000007
【図６】
2012127193.tif 000008
【図７】
2012127193.tif 000009
【図８】
2012127193.tif 000010
【図９】
2012127193.tif 000011
【図１０】
2012127193.tif 000012
【図１１】
2012127193.tif 000013